(57)【要約】      （修正有）【課題】民事に安全な、著作物の記憶媒体を提供する。【解決手段】著作物が、記憶媒体１に機械語として書き込まれる。持ち運び可能で一度書き込まれると消去も書き込みも出来無い一つの記憶媒体１に絞り、それに、自然科学的な計算方法で、あらかじめ決められた絶対唯一の料金を、書き込まれた著作物２の集合体全体３の数で割って、書き込まれた一つの著作物の料金とする。【選択図】図１
2020184282.tif 000002
【特許請求の範囲】
【請求項１】
１．持ち運び可能で一度書き込まれると消去も書き込みも出来無い一つの記憶媒体（１）に、２．あらかじめ決められた絶対唯一の料金を設定し、３．その記憶媒体（１）に、４．著作物（２）が書き込まれると、５．あらかじめ決められた絶対唯一の料金を、６．書き込まれた著作物（２）の集合体（３）全体（３）の数で割って、７．書き込まれた一つの著作物（２）の料金を決定する著作権の料金支払済のシステム。
【請求項２】
１．請求項１で料金が決められた、２．作成者が自由に無造作に作成することにより得られた、３．持ち運び可能で一度書き込まれると消去も書き込みも出来無い一つの記憶媒体（１）を、４．届け出しさせ、５．一つの認識（４）を、６．この届け出された持ち運び可能で一度書き込まれると消去も書き込みも出来無い一つの記憶媒体（１）に、７．設定し、８．この一つの認識（４）が与えられた、９．持ち運び可能で一度書き込まれると消去も書き込みも出来無い一つの記憶媒体（１）は、１０．未来永劫に、１１．各著作権者からの著作権料の請求を拒絶出来る著作権の料金支払済のシステム。
【発明の詳細な説明】
【技術分野】
【０００１】  本発明は、著作権管理システムに属する。
【背景技術】
【０００２】  従来は、著作権の管理は煩雑極まりない。【０００３】  また、現代はＩＴの進歩が著しい。【０００４】  この分野の遅れは、現代社会の進展に著しく影響を与えている。【０００５】  現代社会の風潮として、無差別に、多額の金銭を獲得しようとゆう社会構造が自由化で構築されている様で、このことは民衆の警戒心を高揚させ、そのことが著作権に関する行動に反映され、多量の著作物が流通するＩＴの世界に於て、多機能すぎるＩＴ機器の在り方にも問題はあるが、ＩＴの世界においての著作物の写しを難しくし、時間の掛かる写し環境を作る原因と成っている。【０００６】  特に音楽ＣＤに於ては、空のＣＤに、世界を駆け巡る音楽をＩＴによって一個ずつＣＤに移す場合、動画から音楽だけ抜き取るとか（ここで歌っている人の方がいい時）、わけのわからない動画から音楽だけ抜き取るとか、個人の自由な構成となり、著作権の管理は煩雑極まりなくなる。【０００７】  結局、金持ちの所にお金が集まる様な、訳の分からない自由化を押し進められて、日本の国家機構は、自然法則の技術的進歩に縛られ、個人の使い勝手に支配される部分が多いＩＴの分野に於て、主導権を取ろうと言う意志が無いので、本発明の著作権管理システムを発明した。
【発明の開示】
【発明が解決しようとする課題】
【０００８】  持ち運び可能で一度書き込まれると消去も書き込みも出来無い一つの記憶媒体（１）に、国民が、著作物の集合体（３）を一枚作成した場合、簡単に其れの所持、其れの自然破棄を管理するには、権利者同士の行動と認識もさることながら、示談以外には、国際法と国の法が支配するところだから、国の力が及ぶ国家機構が必要であるだろう。【０００９】  全世界の音楽の題名や著書の著書名や映画のタイトルを、管理番号等を付け管理、同名のものは、著作物作成月日で管理、その様なデーターベースを作成し、国民がこのデーターベースを参照することで、ＩＴ上を流れる著作物を把握しやすい様にして、どのような状態でＩＴ上を駆け巡っても、音楽の題名や著書の著書名や映画のタイトルで、著作物を特定、著作権者も特定、出来るのが望ましい。【００１０】  著作物の一部を、一個以上、無造作に繋げた著作物は。【００１１】  データーベース上にないものは。【００１２】  各国により、著作物への考え方に、意識のズレがある。【００１３】  これらが在ると望ましい、それは、国家機構に全世界の音楽の題名や著書の著書名や映画のタイトルを、管理番号等を付け管理、同名のものは、著作物作成月日で管理、その様なデーターベースを作成し、国民がこのデーターベースを参照することで、ＩＴ上を流れる著作物を把握しやすい様にして、どのような状態でＩＴ上を駆け巡っても、音楽の題名や著書の著書名や映画のタイトルで、著作物を特定出来るシステム。
【課題を解決するための手段】
【００１４】  本発明は、人が持ち運び可能で一度書き込まれると消去も書き込みも出来無い一つの記憶媒体（１）のみを対象としている。【００１５】  日本の国家機構のデーターベースがあるのならば、国内、国外から、著作物を提出させ、届出された著作物のみデーターベースに登録する届出制にする。【００１６】  日本の国家機構のデーターベースに無い、著作物（音楽は題名で、著書は著書名で、映画（この中に含まれる、全ての著作物を対象）はタイトル）は、国内はもとより、例え海外の著作物であっても、著作権はあるが、著作権者への著作料の支払対象（絶対に）としない。【００１７】  持ち運び可能で一度書き込まれると消去も書き込みも出来無い一つの記憶媒体（１）に、あらかじめ決められた絶対唯一の料金を設定し、その記憶媒体（１）に、著作物（２）が書き込まれると、あらかじめ決められた絶対唯一の料金を、書き込まれた著作物（２）の集合体（３）全体（３）の数で割って、書き込まれた一つの著作物（２）の料金とする。【００１８】  絶対唯一の料金は、例えば、一枚のＣＤ７００Ｍの場合、１０００円程度とする。【００１９】  人が作った、もう書き込み済みの、持ち運び可能で一度書き込まれると消去も書き込みも出来無い一つの記憶媒体（１）を届け出しさせ、一つの認識（４）番号を付与する。【００２０】  この持ち運び可能で一度書き込まれると消去も書き込みも出来無い一つの記憶媒体（１）に、書き込まれた著作権群（３）で、一つの認識（４）番号のあるＣＤ（例えば）は、贈与不可とする。【００２１】  他人の著作物が含まれる、持ち運び可能で一度書き込まれると消去も書き込みも出来無い一つの記憶媒体（１）を、届出せずに、個人が自由に作成して、かなりの時間が経っていたとしても、破棄すれば、著作権料を支払わなくて良い。【００２２】  他人が著作権者の歌を歌っていて、歌ってもいない他人が、その音声と楽音だけを、持ち運び可能で一度書き込まれると消去も書き込みも出来無い一つの記憶媒体（１）に、書き込んだ場合は、請求項１で算出された著作権料のみを、持ち運び可能で一度書き込まれると消去も書き込みも出来無い一つの記憶媒体（１）に書き込んだ人が、国家機構のデーターベースに届出のある著作権者に支払えば、著作権料は支払い済みとし、他人の歌を歌ったからと言って、歌った人は、国家機構のデーターベースに届出のある著作権者に支払い義務はないとする。【００２３】  著作権のある著作物が、無造作に繋げられた創作物は、これが、持ち運び可能で一度書き込まれると消去も書き込みも出来無い一つの記憶媒体（１）に、書き込まれた場合は、記憶媒体（１）の作成者による、国家機構のデーターベースに届出のある著作権者への支払い義務はないとする。【００２４】  ＷＥＢ等の著作物も、国家機構のデーターベースに届出に登録させ、登録番号がＷＥＢページに有れば、写しを取りたい場合、登録番号の設定を求めた者に、著作権料を支払えば、著作権料は支払済みとする。【００２５】  ＷＥＢ上の著作物を、持ち運び可能で一度書き込まれると消去も書き込みも出来無い一つの記憶媒体（１）に書き込んだ場合は、その記憶媒体（１）を破棄すれば、著作権者への著作権料の支払対象（絶対に）とはならないとする。
【発明の効果】
【００２６】  持ち運び可能で一度書き込まれると消去も書き込みも出来無い一つの記憶媒体（１）においては、かなり自由で、安心感が湧き、安心して、作成、破棄できるようになる。【００２７】  紛争がなければ、手数料を取れるので、国は潤う。
【発明を実施するための最良の形態】
【００２８】  記憶媒体（１）としては、手頃なものとして、現在、書き込みのされていないＣＤディスクが販売されているが、それに本発明を適用出来る。
【実施例】
【００２９】  図１は、著作物が、記憶媒体（１）に機械語として書き込まれていることを示す、概念図である。
【産業上の利用可能性】
【００３０】  本発明は、最近のウインドゥーズＯＳ内のソフト、リナックスＯＳのソフトや、それらと連帯した書き込み装置等の機器を伴って作成される。【００３１】  しかし、結局は一つの記憶媒体（１）のみを対象としているので、新しい本発明専用の記憶媒体（１）が出来る可能性もある。
【図面の簡単な説明】
【００３２】
【図１】  発明の概念図。
【符号の説明】
【００３３】  １．記憶媒体
２．一つの著作物が占める記憶領域
３．全ての著作物が占める記憶領域
４．与えられた認識
【図１】
2020184282.tif 000003